(57)【要約】  携帯型電子デバイススタンドおよび関連する方法が記載されている。電子デバイススタンドは、基部、第１のアーム、および第２のアームを含む。基部は、（ｉ）水平支持部と、（ｉｉ）内部に第１の溝が画定された第１のアーム受け入れ部分を含む第１の垂直支持部と、（ｉｉｉ）内部に第２の溝が画定された第２のアーム受け入れ部分を含む第２の垂直支持部とを含む。基部は、水平支持部の２つの端部に第１および第２の垂直支持部が配置され、第１および第２のアームの各々は、それぞれ第１の締結アセンブリまたは第２の締結アセンブリを用いて、第１および第２の垂直支持部にそれぞれ回転可能に係合するように構成される。折り畳まれた構成では、第１および第２のアームは、互いに逆平行に配置され互いに当接し、開放構成では、第１および第２のアームは互いに平行に配置され、各々は基部から約９０度に延在する。
2021516999.tif 000002
【特許請求の範囲】
【請求項１】
電子デバイススタンドであって、
基部であって、
水平支持部と、
内部に画定された第１の溝を有する第１のアーム受け入れ部分を含む第１の垂直支持部と、
内部に画定された第２の溝を有する第２のアーム受け入れ部分を含む第２の垂直支持部と
を含み、
前記第１の垂直支持部および前記第２の垂直支持部は、前記水平支持部の２つの端部に配置される、基部と、
第１のアームであって、
電子デバイスを載置するために延びている第１の載置部分と、
上方に且つ前記第１の載置部分からほぼ垂直に延びる、前記第１の載置部分に載置された前記電子デバイスを固定するために設計された第１の停止部分と、
第１の受け入れ部分と、
前記第１の受け入れ部分の下方に配置された第１のねじ係合端部と
を含む第１のアームと、
前記第１のねじ係合端部を前記第１の垂直支持部の前記第１の溝に結合するための第１の締結アセンブリと、
第２のアームであって、
前記電子デバイスを載置するために延びている第２の載置部分と、
上方に且つ前記第２の載置部分からほぼ垂直に延びる、前記第２の載置部分に載置された前記電子デバイスを固定するために設計された第２の停止部分と、
第２の受け入れ部分と、
前記第２の受け入れ部分の下方に配置された第２のねじ係合端部と
を含む第２のアームと、
前記第２のねじ係合端部を前記第２の垂直支持部の前記第２の溝に結合するための第２の締結アセンブリと
を含む電子デバイススタンドにおいて、
前記電子デバイススタンドの折り畳まれた構成において、前記第１の受け入れ部分は前記第２の停止部分を受け入れるように設計され、また前記第２の受け入れ部分は前記第１の停止部分を受け入れるように設計されている、電子デバイススタンド。
【請求項２】
前記電子デバイススタンドの前記開放構成において、前記第１のアームは前記第２のアームと平行に延びる、請求項１に記載の電子デバイススタンド。
【請求項３】
前記電子デバイススタンドの前記開放構成において、前記第１のアームおよび前記第２のアームの各々は、前記基部に対して約９０度に延びる、請求項２に記載の電子デバイススタンド。
【請求項４】
前記電子デバイススタンドの前記折り畳まれた構成において、前記第１のアームは前記第２のアームに対して逆平行に延び、且つ前記第２のアームに当接する、請求項１に記載の電子デバイススタンド。
【請求項５】
前記第１の受け入れ部分は第１の受け入れ輪郭を画定し、第２の受け入れ部分は第２の受け入れ輪郭を画定し、前記第１の停止部分は第１の突出輪郭を画定し、前記第２の停止部分は第２の突出輪郭を画定し、前記電子デバイススタンドの前記折り畳まれた構成において、前記第１の受け入れ輪郭は前記第２の突出輪郭に当接し、前記第２の受け入れ輪郭は前記第１の突出輪郭に当接する、請求項１に記載の電子デバイススタンド。
【請求項６】
前記第１の受け入れ輪郭および前記第２の受け入れ輪郭の各々は、同じ方向を向いている、請求項５に記載の電子デバイススタンド。
【請求項７】
前記第１および第２の締結アセンブリの各々は、
前記第１のアームまたは前記第２のアームの回転を制限するためのピンと、
内部に２つの開口部、すなわち大きい開口部と相対的に小さい開口部とが画定されたブラケットであって、前記大きい開口部は前記第１のねじ係合端部または前記第２のねじ係合端部を受け入れるように設計され、前記相対的に小さい開口部は前記ピンを受け入れるように設計されている、ブラケットと、
内部に２つのチャネルが画定された回転抑制体であって、前記２つのチャネルの各々は互いに約９０度であり、前記チャネルのうちの１つがピンを摺動可能に受け入れ、それにより、前記第１のアームまたは前記第２のアームの回転方向に応じて、前記第１の締結アセンブリまたは前記第２の締結アセンブリの周りの前記第１のアームまたは前記第２のアームの回転変位を制限する、回転抑制体と
を含む、請求項１に記載の電子デバイススタンド。
【請求項８】
前記ブラケットの底面は前記回転抑制体の上面に当接する、請求項７に記載の電子デバイススタンド。
【請求項９】
前記第１の締結アセンブリおよび前記第２の締結アセンブリの各々は、ワッシャ、スプリングワッシャ、および六角ナットをさらに含み、それらはそれぞれ、前記回転抑制体と前記第１の溝または前記第２の溝との間に配置される、請求項７に記載の電子デバイススタンド。
【請求項１０】
前記第１のアーム受け入れ部分の前記第１の溝および前記第２のアーム受け入れ部分の前記第２の溝の各々は、前記第１のアームおよび前記第２のアームの回転中に、前記第１の締結アセンブリの前記ピンおよび前記第２の締結アセンブリの前記ピンをそれぞれブロックすることによって、それぞれ前記第１の垂直支持部および前記第２の垂直支持部に対する前記第１のアームおよび前記第２のアームの回転角度をそれぞれ制限するように構成され、それにより、前記電子デバイススタンドの前記折り畳まれた構成または開放構成を達成する、請求項９に記載の電子デバイススタンド。
【請求項１１】
前記第１のアームまたは前記第２のアームの前記回転角は約９０度である、請求項１０に記載の電子デバイススタンド。
【請求項１２】
前記電子デバイスは、ラップトップコンピュータ、タブレット、およびスマートフォンを含むグループから選択される少なくとも１つの部材である、請求項１に記載の電子デバイススタンド。
【請求項１３】
前記電子デバイススタンドの開放構成では、前記電子デバイスは、前記延びている第１の載置部分および前記延びている第２の載置部分に載置され、前記第１の停止部分および前記第２の停止部分は、前記電子デバイスを前記電子デバイススタンド上に接触させ且つ固定することによって、前記電子デバイスを安定化させる、請求項１２に記載の電子デバイススタンド。
【請求項１４】
前記電子デバイススタンドの前記開放構成において、前記延びている第１の載置部分と前記延びている第２の載置部分は、１つまたは複数の支持面の上に配置され、前記支持面のうちの１つまたは複数と前記延びている第１の載置部分および前記延びている第２の載置部分との間に空間が画定される、請求項１３に記載の電子デバイススタンド。
【請求項１５】
下方に且つ前記延びている第１の載置部分から離れて延びる第１の上昇部分と、下方に且つ前記延びている第２の載置部分から離れて延びる第２の上昇部分とをさらに含み、それにより、前記電子デバイススタンドの開放構成において、前記第１の上昇部分および前記第２の上昇部分は同一平面に沿った１つまたは複数の表面上に支持されて前記第１のアームおよび前記第２のアームを前記１つまたは複数の表面の上方に持ち上げ、それにより、前記表面のうちの１つまたは複数と前記延びている第１の載置部分および前記延びている第２の載置部分との間に空間が画定される、請求項１に記載の電子デバイススタンド。
【請求項１６】
前記空間は、前記延びている第１の載置部分と前記延びている第２の載置部分に載置された前記電子デバイスの下の空気循環を容易にする、請求項１５に記載の電子デバイススタンド。
【請求項１７】
前記第１のアームの一端または前記第２のアームの一端における幅は、前記第１のアームの前記他端または前記第２のアームの前記他端の幅のそれぞれ約半分である、請求項１に記載の電子デバイススタンド。
【請求項１８】
前記基部、前記第１のアーム、および前記第２は、アルミニウムで作られている、請求項１に記載の電子デバイススタンド。
【請求項１９】
電子デバイススタンドを組み立てる方法であって、前記方法は、
基部と、第１のアームと、第２のアームと、第１の締結アセンブリと、第２の締結アセンブリとを得るステップと、
前記第１の締結アセンブリを用いて、前記第１のアームを前記基部の一端に係合させるステップであって、前記基部が、
水平支持部と、
前記水平支持部に対して約９０度であり、且つ内部に第１の溝が画定された第１のアーム受け入れ部分を含む第１の垂直支持部と、
前記第１の垂直支持部に対して実質的に平行であり、前記水平支持部に対して約９０度であり、且つ内部に第２の溝が画定された第２のアーム受け入れ部分を含む第２の垂直支持部と
を含み、また
前記第１のアームは第１のねじ係合端部を含み、前記第１のアームを前記基部の前記端部の一方に係合させるステップ中に、前記第１のねじ係合端部は、前記第１のアーム受け入れ部分の前記第１の溝と係合する、ステップと、
前記第２の締結アセンブリを用いて、前記第２のアームを前記基部の他端に連結するステップであって、前記第２のアームは第２のねじ係合端部を含み、前記第２のアームを前記基部の前記端部の他方に連結するステップ中に、前記第２のねじ係合端部は、前記第２のアーム受け入れ部分の前記第２の溝と係合する、ステップと
を含む、電子デバイススタンドを組み立てる方法。
【請求項２０】
前記第１の締結アセンブリおよび前記第２の締結アセンブリの各々は、内部に２つのチャネルが画定された回転抑制体を含み、前記２つのチャネルの各々は互いに約９０度であり、前記方法は、前記第１のアームまたは前記第２のアームの回転方向に応じて前記チャネルのうちの１つにピンを摺動可能に受け入れるステップをさらに含み、それにより前記第１の締結アセンブリまたは前記第２の締結アセンブリの周りの前記第１のアームまたは前記第２のアームの回転変位を制限する、請求項１９に記載の電子デバイススタンドを組み立てる方法。
【請求項２１】
電子デバイススタンドを使用する方法であって、前記方法は、
前記電子デバイススタンドを得るステップであって、前記電子デバイススタンドが、
基部であって、
水平支持部と、
内部に第１の溝が画定された第１のアーム受け入れ部分を含む第１の垂直支持部と、
内部に第２の溝が画定された第２のアーム受け入れ部分を含む第２の垂直支持部と
を含み、
前記第１の垂直支持部および前記第２の垂直支持部は、前記水平支持部の２つの端部に配置される、基部と、
第１のアームであって、
電子デバイスを載置するために延びている第１の載置部分と、
前記第１の載置部分から延び、且つ前記第１の載置部分に載置された前記電子デバイスを固定するように設計された第１の停止部分と、
第１の受け入れ部分と、
前記第１の受け入れ部分の下方に配置された第１のねじ係合端部と
を含む第１のアームと、
前記第１のねじ係合端部を前記第１の垂直支持部の前記第１の溝に結合するための第１の締結アセンブリと、
第２のアームであって、
前記電子デバイスを載置するために延びている第２の載置部分と、
前記第２の載置部分から延び、且つ前記第２の載置部分に載置された前記電子デバイスを固定するように設計された第２の停止部分と、
第２の受け入れ部分と、
前記第２の受け入れ部分の下方に配置された第２のねじ係合端部と
を含む第２のアームと、
前記第２のねじ係合端部を前記第２の垂直支持部の前記第２の溝に結合するための第２の締結アセンブリと
を含んでいる、ステップと、
前記第１の受け入れ部分が前記第２の停止部分を受け入れ、前記第２の受け入れ部分が前記第１の停止部分を受け入れ、前記第１のアームが前記第２のアームに逆平行に延びて前記第２のアームに当接するように、前記電子デバイススタンドを折り畳むステップと
を含む、電子デバイススタンドを使用する方法。
【請求項２２】
前記第１のアームが前記第２のアームと平行に延び、前記第１のアームおよび前記第２のアームの各々が前記基部に対して約９０度に延びるように前記電子デバイススタンドを開くステップをさらに含む、請求項１９に記載の電子デバイススタンドを使用する方法。
【発明の詳細な説明】
【技術分野】
【０００１】
（関連出願）
本出願は、２０１８年３月４日の出願日を有する米国仮出願第６２／６３８，１５７号の優先権を主張し、上記仮出願は、すべての目的のためにその全体が参照により本明細書に組み込まれる。
【０００２】
本発明の構成および教示は、一般に、電子デバイスに機械的支持を提供する支持アセンブリおよびその方法に関する。より詳細には、本構成および教示は、電子デバイススタンドおよびそれに関連する方法に関し、電子デバイススタンドは折り畳み可能で携帯可能であり、電子デバイスが電子デバイススタンド上に支持されたときに電子デバイスを冷却することを可能にする。
【背景技術】
【０００３】
ラップトップコンピュータ、タブレット、およびスマートフォンなどの携帯型電子デバイスの使用が普及している。これらの携帯型電子デバイスは、より多くのスペースを占有し、より多くの電気を使用し、一般に携帯型ではない、より大きなデスクトップコンピュータの代わりにしばしば使用される。これらの電子デバイスはデスクトップコンピュータの代替品であることが多いため、デスクトップコンピュータをより快適なオフィスまたは家庭環境で使用するのにより近く模倣させるために、ユーザがこれらの電子デバイスをスタンドに設置することがよくある。このようなスタンドは、より快適で実用的なレベルにデバイスのキーボードおよび画面を持ち上げることによって、携帯型電子デバイスを使用するエクスペリエンスを向上させる（例えば、目の高さまで画面を上げ、および／または手根管症候群などの反復的なストレス傷害を避ける高さおよび／または角度にキーボードを上げる）。
【発明の概要】
【発明が解決しようとする課題】
【０００４】
しかしながら、従来の電子デバイススタンドは、しばしばかさばり、大きなものであり、それらが支持する携帯型電子デバイスの携帯性に欠けるため、格納されている場所への実用性が制限される。したがって、携帯型電子デバイスのユーザは、オフィスや家から離れて作業するときに、そのような従来のスタンドを使用できないことが多い。
【０００５】
さらに、ラップトップコンピュータなどの携帯型電子デバイスは、これらの電子デバイスの動作を制御する処理ユニットを含む。しかしながら、このような処理ユニットは、特に技術の進歩とプロセッサがますます強力になるにつれて、相当量の熱を発生する。ほとんどのデスクトップコンピュータでは、プロセッサが発生する熱を放散するために、ファン、ヒートシンクを使用し、空気にさらされる。しかし、ラップトップコンピュータなどの携帯型電子デバイスでは、ファンまたは開放されたエアスペースのための余裕がほとんどないので、熱はコンピュータの下面を介して伝達される。残念なことに、従来の電子デバイススタンドは、電子デバイススタンドが置かれる連続した平坦な表面を提供するので、循環空気へのアクセスを阻止することによって電子デバイスの下面の冷却を制限する。
【０００６】
したがって、携帯可能で冷却を可能にし、従来の設計の落とし穴を回避する効果的な電子デバイススタンドが必要とされている。
【課題を解決するための手段】
【０００７】
１つの観点では、本構成は電子デバイススタンドを開示する。本構成の例示的な電子デバイススタンドは、基部と、第１のアームと、第２のアームと、を含む。基部は、（ｉ）水平支持部と、（ｉｉ）内部に第１の溝が画定された第１のアーム受け入れ部分を含む第１の垂直支持部と、（ｉｉｉ）内部に第２の溝が画定された第２のアーム受け入れ部分を含む第２の垂直支持部と、を含む。基部は、第１の垂直支持部および第２の垂直支持部が水平支持部の２つの端部に配置されるように構成される。好ましくは、基部、第１のアーム、および第２は、アルミニウムで作られる。
【０００８】
本構成の電子デバイススタンドの例示的な第１のアームは、（ｉ）電子デバイスを載置するための延在する第１の載置部分と、（ｉｉ）第１の載置部分の上方にほとんど垂直に延在し、第１の載置部分に載置された電子デバイスを固定するように設計された第１の停止部分と、（ｉｉｉ）第１の受け入れ部分と、（ｉｖ）第１の受け入れ部分の下に配置された第１のねじ係合端部と、を含む。第１の締結アセンブリは、第１のねじ係合端部を第１の垂直支持部の第１の溝に連結するように構成される。
【０００９】
第１のアームと相補的であって、本構成の電子デバイススタンドの一部である例示的な第２のアームは、類似の特徴、すなわち（ｉ）電子デバイスを載置するための延在する第２の載置部分と、（ｉｉ）第２の載置部分から上方にほとんど垂直に延在し、第２の載置部分に載置された電子デバイスを固定するように設計された第２の停止部分と、（ｉｉｉ）第２の受け入れ部分と、（ｉｖ）第２の受け入れ部分の下に配置された第２のねじ係合端部と、を含む。第２の締結アセンブリは、第２のねじ係合端部を第２の垂直支持部の第２の溝に連結するように構成される。
【００１０】
好ましくは、電子デバイススタンドは、第１の受け入れ部分が第１の受け入れ輪郭を画定し、第２の受け入れ部分が第２の受け入れ輪郭を画定するように構成される。同様に、第１の停止部分が第１の突出輪郭を画定し、第２の停止部分が第２の突出輪郭を画定する。例示的な電子デバイススタンドの折り畳まれた構成では、第１の受け入れ輪郭が第２の突出輪郭に当接し、第２の受け入れ輪郭が第１の突出輪郭に当接する。
【００１１】
例示的な電子デバイススタンドが折り畳まれた構成にある場合には、第１の受け入れ部分は第２の停止部分を受け入れるように設計され、第２の受け入れ部分は第１の停止部分を受け入れるように設計される。この構成では、第１のアームと第２は互いに逆平行に延在し、互いに当接している。この逆平行配置または状態では、第１の受け入れ輪郭および第２の受け入れ輪郭は同じ方向を向いている。
【００１２】
反対に、例示的な電子デバイススタンドが開放構成にある場合には、第１のアームは第２のアームと平行に延在し、第１のアームおよび第２のアームの各々は基部に対して約９０°に延在する。第１のアームと第２のアームのこの平行な構成では、第１の受け入れ輪郭と第２の受け入れ輪郭は反対方向を向いている。
【００１３】
第１の締結アセンブリおよび第２の締結アセンブリの各々は、それぞれ、第１の垂直支持部および第２の垂直支持部に対する第１のアームおよび第２のアームの回転係合を容易にする様々な下位構成要素を含む。これらの下位構成要素は、（ｉ）第１のアームまたは第２のアームの回転を制限するためのピンと、（ｉｉ）内部に２つの開口部、すなわち大きい開口部および相対的に小さい開口部が画定されたブラケットであって、大きい開口部が第１のねじ係合端部または第２のねじ係合端部を受け入れるように設計され、相対的に小さい開口部がピンを受け入れるように設計される、ブラケットと、（ｉｉｉ）各々が互いに約９０°に位置する２つのチャネルが内部に画定された回転抑制体と、を含む。チャネルの一方は、第１のアームまたは第２のアームの回転方向に応じて、第１の締結アセンブリまたは第２の締結アセンブリの周りの第１のアームまたは第２のアームの回転変位を制限するために、ピンを摺動可能に受け入れるように設計される。ブラケットは、第１のアームまたは第２のアームに連結されてもよい。ブラケットの底面は、回転抑制体の上面に接触してもよい。同様に、回転抑制体は、第１の垂直支持部または第２の垂直支持部に連結されてもよい。好ましくは、ブラケットの底面は、回転抑制体の上面に接触する。
【００１４】
本構成の特定の実施形態では、第１の締結アセンブリおよび第２の締結アセンブリはまた、回転抑制体と第１の溝または第２の溝との間にそれぞれ配置されるワッシャ、スプリングワッシャ、および六角ナットを含む。例示的な電子デバイススタンドの組み立てられた状態では、好ましくは、ワッシャ、スプリングワッシャ、および六角ナットが、第１の溝または第２の溝のいずれかと係合されている。
【００１５】
本構成の好適な実施形態によれば、第１のアーム受け入れ部分の第１の溝および第２のアーム受け入れ部分の第２の溝の各々は、第１のアームおよび第２のアームの回転中に、第１の締結アセンブリのピンおよび第２の締結アセンブリのピンの回転をそれぞれブロックすることによって、それぞれ第１の垂直支持部および第２の垂直支持部に対して、第１のアームおよび第２のアームの回転角度をそれぞれ制限して、電子デバイススタンドの折り畳まれた構成または開放構成を取得するように構成される。好ましくは、第１のアームまたは第２のアームの回転角は約９０°である。
【００１６】
本教示の好ましい実施形態では、電子デバイススタンドの開放構成において、電子デバイスは、延在する第１の載置部分および延在する第２の載置部分に載置される。さらに、この開放構成では、第１の停止部分および第２の停止部分は、電子デバイスを電子デバイススタンドに接触させて固定することで、電子デバイスを安定させる。さらに、この開放構成では、延在する第１の載置部分と延在する第２の載置部分は、１つまたは複数の支持面の上に配置され、支持面のうちの１つまたは複数と延在する第１の載置部分および延在する第２の載置部分との間に空間が画定される。
【００１７】
本教示の特定の実施形態では、例示的な電子デバイススタンドの開放構成において、電子デバイススタンドはまた、延在する第１の載置部分から下方に離れて延在する第１の上昇部分と、延在する第２の載置部分から下方に離れて延在する第２の上昇部分と、を含む。このように、電子デバイススタンドの開放構成では、第１の上昇部分および第２の上昇部分は、同一平面に沿った１つまたは複数の表面上に支持され、表面のうちの１つまたは複数と延在する第１の載置部分および延在する第２の載置部分との間に空間が画定されるように、第１のアームおよび第２のアームを１つもしくは複数の表面の上に持ち上げる。この空間は、延在する第１の載置部分および延在する第２の載置部分に載置された電子デバイスの下の空気循環を容易にし、その結果、電子デバイスおよびその構成要素がより低温に維持される。
【００１８】
好ましくは、第１のアームの遠位端における幅または第２のアームの遠位端における幅は、それぞれ第１のアームの他方の係合端部または第２のアームの他方の係合端部の幅の約半分である。
【００１９】
別の観点では、本教示は、電子デバイススタンドを組み立てる方法を開示する。本教示の例示的な方法は、（ｉ）基部と、第１のアーム（第１のねじ係合端部を含む）と、第２のアーム（第２のねじ係合端部を含む）と、第１の締結アセンブリと、第２の締結アセンブリと、を取得するステップと、（ｉｉ）第１の締結アセンブリを用いて、第１のアームを基部の一端に係合させるステップと、基部は、（ａ）水平支持部と、（ｂ）水平支持部に対して約９０°であり、内部に第１の溝が画定された第１のアーム受け入れ部分を含む第１の垂直支持部と、（ｃ）第１の垂直支持部に実質的に平行であり、水平支持部に対して約９０°に配置され、内部に第２の溝が画定された第２のアーム受け入れ部分を含む第２の垂直支持部と、を含み、第１のアームを基部の一端に係合させる間に、第１のねじ係合端部が第１のアーム受け入れ部分の第１の溝に係合し、（ｉｉｉ）第２の締結アセンブリを用いて、第２のアームを基部の他端に連結するステップであって、第２のアームを基部の端部の他方に連結する間に、第２のねじ係合端部は、第２のアーム受け入れ部分の第２の溝と係合する、ステップと、を含む。
【００２０】
好ましくは、第１の締結アセンブリおよび第２の締結アセンブリの各々は、各々が互いに約９０°である２つのチャネルが内部に画定された回転抑制体を含む。この方法はまた、第１の締結アセンブリまたは第２の締結アセンブリの周りの第１のアームまたは第２のアームの回転変位をそれぞれ制限するために、チャネルの一方においてピンを摺動可能に受け入れるステップを含むことができる。第１のアームまたは第２のアームの回転方向に応じて、（電子デバイススタンドの開放構成または閉鎖構成を達成するために）ピンは、第１のアームまたは第２のアームの回転変位が特定の回転方向のある点を過ぎて進むことを防止する。
【００２１】
別の観点では、本教示は、電子デバイススタンドを使用する方法を開示する。この観点の例示的な方法は、（ｉ）基部、第１のアーム、第２のアーム、第１の締結アセンブリ、および第２の締結アセンブリを含む例示的な電子デバイススタンドを取得するステップと、（ｉｉ）第１のアームの第１の受け入れ部分が第２のアームの第２の停止部分を受け入れ、第２のアームの第２の受け入れ部分が第１のアームの第１の停止部分を受け入れ、この構成において、第１のアームが第２のアームに逆平行に延在して第２のアームに当接するように、電子デバイススタンドを折り畳むステップと、を含む。本方法はまた、第１のアームが第２のアームと平行に延在し、第１のアームおよび第２のアームの各々が基部に対して約９０°に延在するように例示的な電子デバイススタンドを開くステップを含むことができる。
【００２２】
しかしながら、本発明の教示および装置のシステムおよび方法は、さらなる目的および利点と共に、添付の図面と併せて読めば特定の実施形態の以下の説明から最もよく理解されるであろう。
【図面の簡単な説明】
【００２３】
【図１Ａ】本構成の一実施形態による、折り畳まれた、または閉じた構成の電子デバイススタンドの正面斜視図である。
【図１Ｂ】図１Ａの電子デバイススタンドの開放構成の正面斜視図である。
【図２Ａ】本構成の別の実施形態による、折り畳まれた、または閉じた構成の電子デバイススタンドの正面斜視図である。
【図２Ｂ】図２Ａの電子デバイススタンドの開放構成の正面斜視図である。
【図３Ａ】本構成の一実施形態による、電子デバイススタンドの特定の構成要素の分解図である。
【図３Ｂ】本構成の一実施形態による、図３Ａの電子デバイススタンドの特定の部品を回転可能に係合させるために使用される締結アセンブリの分解図である。
【図４Ａ】本構成の一実施形態による電子デバイススタンドアームの斜視図であり、一方の係合端部の幅「Ｘ」および他方の遠位端部の幅「１／２Ｘ」を示す図である。
【図４Ｂ】本構成の一実施形態による、折り畳まれた構成の電子デバイススタンドの上面図であり、各端部の幅「Ｘ」および回転軸「Ａ」または「Ｂ」を示す図である。
【図５】本構成の一実施形態による、開放構成の電子デバイススタンドの背面斜視図であり、ラップトップコンピュータがその上に支持されている図である。
【図６】本教示の一実施形態による、電子デバイススタンドを組み立てるためのプロセスを示すフローチャートである。
【発明を実施するための形態】
【００２４】
以下の説明では、本構成および教示の完全な理解を提供するために、多くの特定の詳細が記載されている。しかしながら、当業者には、本教示がこれらの特定の詳細の一部または全部に限定されずに実施することができることが明らかであろう。他の例では、本教示を不必要に不明瞭にしないために、周知のプロセスステップは詳細には記載していない。
【００２５】
本発明の構成および教示は、電子デバイスの使用をより快適でより便利にするプラットフォームを、特定の携帯型電子デバイス（例えば、ラップトップコンピュータ、タブレット、スマートフォン、またはビデオディスプレイ）のユーザに提供する電子デバイススタンドを開示する。残念なことに、このような電子デバイスは携帯可能であるが、それらを支持する従来の電子デバイススタンドはかさばりやすく、携帯に向かない傾向がある。さらに、従来の電子デバイススタンドは、それらが支持する携帯電子デバイスの冷却機能を提供しない。この目的のために、本明細書で開示される電子デバイススタンドの実施形態は、それらを携帯可能にし、冷却を可能にする特徴を含む。本構成の電子デバイススタンドはまた、滑らかで審美的に好ましい設計の利点を提供する。
【００２６】
この目的のために、図１Ａは、本構成の一実施形態による、折り畳まれた構成、または閉じた構成の電子デバイススタンド１００の斜視図を示す。電子デバイススタンド１００は、Ｕ字型の基部１１０を含む。Ｕ字形の基部１１０は、基部１１０の一端に配置された第１の垂直支持部１０７と、基部１１０の反対側の端部にある第２の垂直支持部１０９と、を有する水平支持部１１１を有する。垂直支持部１０７、１０９は、基部１１０の水平支持部１１１に対して垂直に配置され、Ｕ字形構成を提供する。一端の第１のアーム１０２は第１の垂直支持部１０７の上端に回転可能に係合し、一端の第２のアーム１０４は第２の垂直支持部１０９の上端に回転可能に係合している。第１のアーム１０２および第２のアーム１０４の各々は、反対側の端部にそれぞれ第１の停止部分１１２および第２の停止部分１１４を含む。
【００２７】
図１Ａの折り畳まれた構成では、第１のアーム１０２および第２のアーム１０４はそれぞれ、Ｕ字型の基部１１０の両端から（すなわち、それぞれ第１の垂直支持部１０７および第２の垂直支持部１０９から）延在する。このようにして、本構成の電子デバイススタンドの折り畳まれた構成では、第１のアーム１０２および第２のアーム１０４は、互いに「逆平行」であると考えることができる。
【００２８】
さらに、図１Ａに示すように、第１のアーム１０２および第２のアーム１０４は、互いに当接して示されている。以下でさらに詳細に説明するように、第１のアーム１０２および第２のアーム１０４の各々は、基部１１０に回転可能に係合している端部において、それぞれ第１の受け入れ部分（例えば、図１Ｂに示す第１の受け入れ部分１０６’）および第２の受け入れ部分（例えば、図１Ｂに示す第２の受け入れ部分１０８’）を含む。第１のアーム１０２の第１の受け入れ部分は、第２のアーム１０４の遠位端を受け入れ、第２のアーム１０４の第２の受け入れ部分は、第１のアーム１０２の遠位端を受け入れる。このように、第１のアーム１０２および第２のアーム１０４は、「相補的な」アームとして考えることができる。
【００２９】
図１Ｂは、本構成の一実施形態による、開放構成の電子デバイススタンド１００’を示す。電子デバイススタンド１００’は、図１Ａの電子デバイススタンド１００と同じであるか、または実質的に類似していると考えることができるが、電子デバイスを支持するために使用することができる開放構成である。第１のアーム１０２’、第２のアーム１０４’、基部１１０’、第１の垂直支持部１０７’、第２の垂直支持部１０９’、水平支持部１１１’、第１の停止部分１１２’、および第２の停止部分１１４は図１Ａの対応物（すなわち、第１のアーム１０２、第２のアーム１０４、基部１１０、第１の垂直支持部１０７、第２の垂直支持部１０９、水平支持部１１１、第１の停止部分１１２、および第２の停止部分１１４）と実質的に類似している。
【００３０】
図１Ｂはまた、電子デバイススタンド１００’の特定の他の下位構成要素を明確に示しており、それは、第１のアーム１０２’の回転可能に係合する端部上の第１の受け入れ部分１０６’と、第２のアーム１０４’の回転可能に係合する端部上の第２の受け入れ部分１０８’と、第１の受け入れ部分１０６’と第１のアーム１０２’の第１の停止部分１１２’との間に配置された延在する第１の載置部分１０３’と、第２の受け入れ部分１０８’と第２のアーム１０４’の第２の停止部分１１４’との間に配置された延在する第２の載置部分１０５’と、第１のアーム１０２’の回転可能に係合する端部に配置された第１の受け入れ輪郭を有する第１の受け入れ部分１０６’と、第２のアーム１０４’の回転可能に係合する端部に配置された第２の受け入れ輪郭を有する第２の受け入れ部分１０８’と、を含む。
【００３１】
図１Ｂの第１のアーム１０２’および第２のアーム１０４’の各々に隣接して位置する湾曲した矢印は、電子デバイススタンドが図１Ａの閉じた構成から図１Ｂの開放構成に変換される際の、垂直支持部１０７’、１０９’に対するアーム１０２’およびアーム１０４’の回転方向をそれぞれ示す。図１Ｂに示すように、電子デバイススタンド１００’の開放構成では、第１のアーム１０２’および第２のアーム１０４’は、互いに平行であると考えることができ、第１の受け入れ部分１０６’および第２の受け入れ部分１０８’が同じ方向を向いている。対照的に、図１Ａの折り畳まれた構成における第１のアーム１０２および第２のアーム１０４の逆平行構成は、第１のアーム１０２の第１の受け入れ部分および第２のアーム１０４の第２の受け入れ部分が互いに反対方向を向くことを提供する。
【００３２】
第１のアーム１０２’および第２のアーム１０４’の各々は、対応する垂直支持部に対する各アームの回転角が好ましくは約９０°になるように、垂直支持部１０７’および垂直支持部１０９’にそれぞれ回転可能に係合される。この９０°の回転角は、図１Ａのアーム１０２が図１Ｂの第１のアーム１０２’に隣接する湾曲した矢印によって示される方向に回転し、回転が図１Ａおよび図１Ｂに示す構成の間で制限されるように実施される。同様にして、図１Ａの第２のアーム１０４も、図１Ｂのアーム１０４’に隣接する湾曲した矢印によって示される方向に同様に回転し、図１Ａおよび図１Ｂに示す構成の間で回転が制限される。
【００３３】
図３Ｂを参照して以下でさらに詳細に説明するように、本教示の電子デバイススタンドは、各アームが約０°で（すなわち、図１Ａの第１のアーム１０２または第２のアーム１０４が水平支持部１１１と平行である場合）、および約９０°で（すなわち、図１Ｂの第１のアーム１０２’または第２のアーム１０４’が水平支持部１１１’に垂直である場合）ロックまたは係合するように、アーム（例えば、図１Ａの第１のアーム１０２および第２のアーム１０４）を対応する垂直支持部（例えば、それぞれ図１Ａの垂直支持部１０７および垂直支持部１０９）と回転可能に係合させるための締結アセンブリを実装することが好ましい。
【００３４】
図１Ａに示す例示的な電子デバイススタンドの折り畳まれた構成から図１Ｂに示す開放構成に変換する際に、図１Ａの第１のアーム１０２および第２のアーム１０４の各々が、順番に、すなわち、一度に１つのアームが開く。図１Ａの閉じた構成では、第１のアーム１０２が第２のアーム１０４の前に配置されているので、この順番は、図１Ｂの隣接する湾曲した矢印で示す開放の回転方向で最初に第１のアーム１０２を開き、その次に第２のアーム１０４を、図１Ｂの隣接する湾曲した矢印で示す開放の回転方向に開くことを要求する。同様に、図１Ｂの開放構成から図１Ａの折り畳まれた構成に変換する際に、図１Ｂの第１のアーム１０２’および第２のアーム１０４’の各々は、図１Ｂに示される矢印とは反対の回転方向に変位する。好ましくは、第２のアーム１０４’を閉じた構成に回転させ、続いて第１のアーム１０２’を閉じた構成に回転させる。
【００３５】
電子デバイススタンド１００’の開いた、動作可能な状態では、電子デバイススタンドは、（例えば、図５に示すように）ラップトップコンピュータなどの電子デバイスを支持するように構成される。好ましくは、電子デバイスの側縁部は、延在する第１の部分１０３’および延在する第２の部分１０５’に載置されている。同様に、好ましくは、電子デバイスの前縁部は、第１の停止部分１１２’および第２の停止部分１１４’に載置され、および／または安定化される。垂直支持部１０６’、１０９’は、電子デバイスの後端部を持ち上げて、電子デバイスの底面と電子デバイススタンド１００’が支持されている面との間にオープンスペースを作り出すように構成される。水平支持部１１１’はさらに、後端部で構造体を安定させ、その上に配置された電子デバイスの重量を支持する働きをする。
【００３６】
図２Ａは、本構成の別の実施形態による、折り畳まれた構成、または閉じた構成の電子デバイススタンド２００の斜視図を示す。第１のアーム２０２、第２のアーム２０４、基部２１０、第１の垂直支持部１０７、第２の垂直支持部１０９、水平支持部１１１、第１の停止部分１１２、および第２の停止部分１１４は、図１Ａの対応物（すなわち、第１のアーム１０２、第２のアーム１０４、基部１１０、第１の垂直支持部１０７、第２の垂直支持部１０９、水平支持部１１１、第１の停止部分１１２、および第２の停止部分１１４）と実質的に類似している。図２Ａはまた、図１Ａおよび図１Ｂの実施形態に含まれない、第１のアーム２０２の底端部および第２のアーム２０４の底端部からそれぞれ延在する第１の上昇部分２１６および第２の上昇部分２１８などのさらなる構成要素を示す。
【００３７】
図２Ｂは、本構成の代替的な実施形態による電子デバイススタンド２００’を示す。電子デバイススタンド２００’が開いた、または動作可能な構成にあることを除いて、電子デバイススタンド２００’は、図２Ａの電子デバイススタンド２００と同じまたは実質的に類似していると考えることができる。第１のアーム２０２’、第１の載置部分２０３’、第２のアーム２０４’、第２の載置部分２０５’、基部２１０’、水平支持部２１１’、第１の垂直支持部２０７’、第２の垂直支持部２０９’、第１の停止部分２１２’、第２の停止部分２１４’、第１の上昇部分２１６’、および第２の上昇部分２１８’は、図１Ｂの対応物（すなわち、第１のアーム１０２’、第１の載置部分１０３’、第２のアーム１０４’、第２のアーム１０５’、基部１１０’、水平支持部１１１’、第１の垂直支持部１０７’、第２の垂直支持部１０９’、第１の停止部分１１２’、第２の停止部分１１４’、第１の上昇部分１１６’、および第２の上昇部分１１８’）と実質的に類似している。図２Ｂに示す特徴は、図１Ｂの対応する特徴と実質的に同様に動作する。しかしながら、図１Ｂの実施形態とは異なり、第１の上昇部分２１６’および第２の上昇部分２１８’は、使用時に電子デバイススタンド２００’の前端部を持ち上げるように実装される。これは、電子デバイスが電子デバイススタンドを支持する表面（例えば、机、カウンター、プラットフォーム、またはひざ）から比較的高いレベルに位置することを好むユーザに適応するという利点を提供する。好ましくは、使用中（すなわち、図２Ｂの開放構成）で、図１Ｂに示す電子デバイススタンドの実施形態とは異なり、第１のアーム２０２’または第２のアーム２０４’はいずれの部分も電子デバイススタンドを支持する表面に接触しない。
【００３８】
図１Ａおよび図２Ａの実施形態に示すように、本教示および構成の電子デバイススタンドの折り畳まれた構成は、従来のラップトップスタンドよりもいくつかの利点を提供する。例えば、電子デバイススタンドは折り畳まれた構成になっており、コンパクトな構造を提供し、これらの構造は、それらが支持する携帯型電子デバイス（例えば、ラップトップコンピュータ）と共に容易に携帯可能である。したがって、ユーザは、従来の電子デバイススタンドを格納することができる場所（例えば、オフィスまたは家庭）から離れた場所で使用するために本教示および本構成の電子デバイススタンドを容易に運ぶことができる。
【００３９】
さらに、図２Ａおよび図２Ｂの開放構成では、本教示および本構成の電子デバイススタンドは、滑らかで審美的に好ましい設計を提供する。
【００４０】
さらに、本教示および本構成の電子デバイスは、様々な構成要素間（例えば、図２Ｂに示すように、第１の垂直支持部２０７’と第２の垂直支持部２０９’との間、およびアーム２０２’とアーム２０４’との間）のオープンスペースを利用するので、これらの電子デバイススタンドを構成するのに必要な材料が少なくて済み、従来の電子デバイススタンドよりも製造および組み立てが容易で比較的安価になる。
【００４１】
図３Ａは、本構成の一実施形態による、電子デバイススタンド３００の特定の構成要素の分解図を示す。第１のアーム３０２、第２のアーム３０４、基部３１０、第１の停止部分３１２、第２の停止部分３１４、第１の受け入れ部分３０６、および第２の受け入れ部分３０６は、図１Ａ、図１Ｂ、図２Ａ、および図２Ｂを参照して上述した対応物と実質的に類似している。
【００４２】
図３Ａはまた、第１のアーム３０２および第２のアーム３０４を基部３１０の各側に回転可能に係合させるように動作可能な特定の下位構成要素を示す。特に、第１のアーム３０２と第２のアーム３０４との係合端部において、第１のねじ係合端部３２０と第２のねじ係合端部３２２とはそれぞれアーム３０２、３０４の係合端部の底部側から下方に延在する。さらに、基部３１０の各側面には、第１のアーム受け入れ部分３２４および第２のアーム受け入れ部分３２６が、第１の垂直支持部３０７および第２の垂直支持部３０９の内側にそれぞれ配置される（図３Ｂを参照して以下でさらに詳細に説明する）。第１のアーム受け入れ部分３２４およびアーム受け入れ部分３２６の各々は、内部に第１の溝および第２の溝がそれぞれ画定されるように構成される。第１のアーム受け入れ部分３２４および第２のアーム受け入れ部分３２６の第１の溝および第２の溝は、それぞれ、第１のねじ係合端部３２０および第２のねじ係合端部３２２にそれぞれ回転可能に係合するように設計されている。
【００４３】
本構成の一実施形態によれば、第１のアーム３０２、第２のアーム３０４、および基部３１０は、アルミニウムからなる。より好ましくは、第１のアーム３０２、第２のアーム３０４、および基部３１０は、コンピュータ制御の切断機を使用して、アルミニウムの単一片押出ブロックからそれぞれ粉砕される。これにより、剛性、耐久性、より審美的に好ましい清潔で洗練されたデザインを保持しながら、構成部品を比較的薄く構築することが可能になる。しかしながら、本構成の他の実施形態では、第１のアーム３０２、第２のアーム３０４、および基部３１０の様々な下位構成要素が別々に構成され、互いに取り付けられる。
【００４４】
図３Ｂは、本構成の一実施形態による、締結アセンブリ３５０の特定の構成要素の分解図を示す。締結アセンブリ３５０は、第１のアームまたは第２のアーム（例えば、図１の第１のアーム１０２および第２のアーム１０４）と基部の垂直支持部（例えば、図１Ａの基部１１０の第１の垂直支持部１０７または第２の垂直支持部１０９）との回転可能な係合を容易にする。締結アセンブリが第１のアームを第１の垂直支持部に回転可能に係合させる限り、それを「第１の締結アセンブリ」と考えることができ、締結アセンブリが第２のアームを第２の垂直支持部に回転可能に係合させる限り、それを「第２の締結アセンブリ」と考えることができる。
【００４５】
図３Ｂの実施形態では、締結アセンブリ３５０は、第２のアーム３０４を基部３１０の第２の垂直支持部３０９に回転可能に係合させる。締結アセンブリ３５０の下位構成要素はまた、アーム３０４の係合端部の底部領域から下方に延在する第２のねじ係合端部３２２と、ピン３２８と、相対的に大きい開口部（第２のねじ係合端部３２０を受け入れるため）と相対的に小さい開口部（ピン３２８を受け入れるため）を有するブラケット３３０と、互いに直交する２つのチャネルが内部に画定された回転抑制体３３２と、ワッシャ３３４と、スプリングワッシャ３３６と、六角ナット３３８と、を含む。図３Ｂはまた、内側に配置された垂直支持部３０９、第２のアーム受け入れ部分３２６、および第２の溝３４０を示す。締結アセンブリ３５０の組み立てられた状態では、締結アセンブリ３５０の様々な下位構成要素が第２の垂直支持部３０９内に収容される。最後に、足部３４２を、基部のコーナーに隣接する基部３１０の底部領域に連結することができる。
【００４６】
締結アセンブリ３５０の組み立てられかつ動作可能な状態では、これらの様々な下位構成要素が相乗的に作用して基部３１０に対して第２のアーム３０４を回転させ、第２のアーム３０４を折り畳まれた構成または開放構成にロックする。
【００４７】
図３Ｂに示すように、上部ブラケット３３０は、第２のねじ係合端部３２２を受け入れるように構成された相対的に大きい開口部と、ピン３２８を受け入れるように構成された相対的に小さい開口部と、を含む。第２のねじ係合端部３２２は、第２のアーム３０４の係合端部の底側に取り付けられている。同様に、図３Ｂには示されていないが、第２のアーム３０４の係合端部の底側は、第２のアーム３０４に対してピン３２８を受け入れて安定させるピン受け入れ開口部を含む。したがって、ピン３２８の動きは、第２のアーム３２４の回転を追跡する。
【００４８】
さらに、図３Ｂには示されていないが、第２のアーム３０４の係合端部の底側は、上部ブラケット３３０を受け入れて安定させる、ぴったり合う凹空間を含む。したがって、上部ブラケット３３０、および上部ブラケット３３０の相対的に小さい開口部を通って配置されたピン３２８の回転は、ピン３２８の回転を第２のアーム３０４の回転と接続する。言い換えれば、第２のアーム３０４が基部３１０の垂直支持部３０９に対して回転すると、ピン３２８の動きが、基部３１０の垂直支持部３０９に対して対応して回転される。
【００４９】
好ましくは、第２のアーム３０４の底部領域の凹空間の深さは、係合したときに上部ブラケット３３０の小さな部分が第２のアーム３０４の底縁部からわずかに突出するように、上部ブラケット３３０の厚みよりわずかに小さい。
【００５０】
締結アセンブリ３５０の組み立てられた状態において、回転抑制体３３２の上面は、上部ブラケット３３０の底面と接触する。上部ブラケット３３０が第２のアーム３０４に連結されている間に、回転抑制体３３２は同様の方法で第２の垂直支持部３０９に連結される。具体的には、第２の垂直支持部３０９の上端の領域は、基部３１０の垂直支持部３０９によって回転抑制体３３２を受け入れて安定化するように形成されたぴったり合う凹空間を含む。
【００５１】
好ましくは、第２の垂直支持部３０９におけるぴったり合う凹空間の深さは、回転抑制体３３２の小さな部分が第２の垂直支持部３０９から突出するように、回転抑制体３３２の厚みよりわずかに小さい。本構成の好ましい実施形態によれば、締結アセンブリ３５０の動作状態において、回転抑制体３３２の突出部分は、上部ブラケット３３０の突出部分（上述した）に接触する。これらの突出領域は、好ましくは、第２のアーム３０４の底縁部が第２の垂直支持部３０９の上縁部に接触するのを防止し、第２のアーム３０４の基部３１０に対する円滑な回転を容易にする。滑らかな回転をさらに容易にするために、上部ブラケット３３０および回転抑制体３３２は、基部３１０に対して第２のアーム３０４の回転の平滑化を容易にする表面を提供する、硬化した、研磨されたステンレス鋼から構成されてもよい。
【００５２】
図３Ｂに示すように、回転抑制体３３２はまた、互いに垂直に配置され、ピン３２８を受け入れるように設計された２つのチャネルを含む。第２の垂直支持部３０９に対する第２のアーム３０４の回転中に、ピン３２０は、第２のアーム３０４の回転方向に応じて、第２のアーム３０４によってこれらのチャネルのいずれかの内部に変位する。本構成の好ましい実施形態によれば、これらのチャネルは、本電子デバイススタンドの開放または閉じた構成のいずれかの構成でアームを所定の位置にロックするピン３２８の「スプリングロック」として機能する。このような実施形態によれば、回転抑制体３３２内のチャネルは、ピン３２８の直径よりわずかに小さい開口部を含む。この構成では、アーム３０２の回転がピン３２８をこの開口部を越えて押すと、ロックヘッドが強制的に開放され、アームを固定する張力が提供される。ピン３２８が回転抑制体３３２内のいずれかのチャネルを介して変位すると、チャネルはその端部領域でわずかに拡大し、ピン３２８がこの端領域内に回転すると、張力を解放することによって生成されるクリック機構がピン３２８を所定の位置にロックする。これは、第２のアーム３０４の回転を９０°に制限する利点、すなわち、本電子ディスプレイスタンドの開放構成と折り畳まれた構成との間に制限する利点を提供する。
【００５３】
第２の垂直支持部３０９に対する第２のアーム３０４の回転を容易にするために、第２のねじ係合端部３２２は、溝３４０と回転可能に係合する。さらに、第２の溝３４０は、ピン３２８が第２の垂直支持部３０９に対して第２のアーム３０４の９０度の回転角を超えて前進することを防止するのを助けるように構成される。溝が第２の垂直支持部（例えば、図１Ａの第２の垂直支持部１０９）と関連する限りは、このような溝は「第２の溝」とみなすことができる。
【００５４】
本構成の特定の実施形態では、ワッシャ３３４は、回転抑制体３３２の下に配置され、回転抑制体３３２の底面に接触する。ワッシャ３３４は、第２の溝３４０と係合することによって、第２の垂直支持部３０９に対する第２のアーム３０４の回転の平滑化を容易にする。
【００５５】
本構成の他の実施形態では、スプリングワッシャ３３６がワッシャ３３４の下に配置され、ワッシャ３３４の底面に接触する。スプリングワッシャ３３６は、第２の溝３４０と係合し、六角ナット３３８の緩みを防止するように設計されている。
【００５６】
六角ナット３３８は、第２の溝３４０と係合することによって第２のアーム３０４を第２の垂直支持部３０９に取り付け、これにより締結アセンブリ３５０の様々な構成要素を安定にする。
【００５７】
図３Ｂに示すように、第２の垂直支持部３０９は、その中に配置されたオープンスペースを含む。本電子ディスプレイスタンドの組み立てられた状態では、締結アセンブリ３５０の構成要素は、このオープンスペース内に隠れて露出していない。これは、締結アセンブリの様々な構成要素が緩むのを防止するという利点を提供し、より清浄でより審美的に好ましい設計を提供する。
【００５８】
締結アセンブリ３５０の一部とはみなされないが、図３Ｂはまた、第２の垂直支持部３０９の底端部に配置されたカバー３４２を示す。カバー３４２は、基部３１０が、本構成の電子デバイススタンドが支持されている表面に接触するときに支持を提供する。カバー３４２の丸みのある設計は、使用時に本構成の電子設計スタンドを安定させるのに役立つ。
【００５９】
図４Ａは、本構成の一実施形態による、第２のアーム４０４の斜視図を示す。第２のアーム４０４と、延在する第２の載置部分４０５と、第２の受け入れ部分４０８と、第２の停止部分４１４と、第２のねじ係合端部４２２とは、図１Ａで上述した対応物と実質的に類似している。図４Ａはまた、基部（例えば、図１Ｂの基部１１０’）に対する第２のアーム４０４の回転軸を表す線「Ａ」を示す。図４Ａはまた、第２のアーム４０４の係合端部が幅「Ｘ」を有し、第２のアーム４０４の遠位端が約「１／２Ｘ」の幅を有することを示す。
【００６０】
図４Ｂは、折り畳まれた構成の電子デバイススタンド４００の上面図を示し、第１のアーム４０２および第２のアーム４０４は、互いに逆平行に配置され、互いに当接している。図４Ｂの第２のアーム４０４は、図４Ａの第２のアーム４０４と同じか、または実質的に類似していると考えることができる。同様に、第１のアーム４０２は、第２のアーム４０４に対して相補的であると考えることができる。図４Ｂに示すように、電子デバイススタンドの厚さは、ほぼ「Ｘ」である。
【００６１】
アーム４０２、４０４の新規で補完的な設計のために、アーム４０２、４０４が本電子デバイススタンドの折り畳まれた状態で互いに隣り合うように整列され場合であっても、電子設計スタンド４００の厚さは、係合端部でのアーム４０２、４０４の各々の厚さとほぼ同じである。これは、アーム４０２、４０４の比較的広い係合端部を第１の受け入れ部分（例えば、図１Ｂの第１の受け入れ部分１０６’）または第２の受け入れ部分（例えば、図１Ｂの第２の受け入れ部分１０８’）で、アーム４０４、４０２の比較的薄い遠位端をそれぞれ受け入れるように構成することにより達成される。好ましくは、第１の受け入れ部分および第２の受け入れ部分は、相補的なアームの遠位端を受け入れるように構成された第１の受け入れ輪郭および第２の受け入れ輪郭を含む。このようにして、第１のアーム４０２、４０４は、その両端において重なり合うように構成される。電子デバイススタンド４００の厚さは、任意の１つの構成要素アームの厚さを超えないので、本構成は、従来の設計に対して比較的コンパクトで携帯可能な構造を提供する。
【００６２】
さらに、図４Ｂの構成に示すように、回転軸「Ａ」および「Ｂ」は、電子デバイススタンド４００の各縁部のほぼ中間に配置される。この構成により、アーム４０２、４０４の各々が閉じた構成でロックされたときに、電子デバイススタンド４００が平坦なままであることが可能になる。さらに、アームが開放構成でロックされると、アーム４０２、４０４の各々は、基部から同じ距離だけ離れるように延びる。電子デバイススタンドの２つのアームが重ならない閉じた構成は、これらの効果を達成することができない。
【００６３】
図５は、本構成の一実施形態による、電子デバイススタンド５００上に表示されたラップトップコンピュータ５４４の背面斜視図を示す。第１のアーム５０２、第２のアーム５０４、延在する第１の載置部分５０３、延在する第２の載置部分５０５、第１の停止部分５１２、第２の停止部分５１４は、図１Ｂに関して上述した対応物と実質的に類似している。
【００６４】
図５に示すように、ラップトップコンピュータ５４４の側縁部は、延在する第１の載置部分５０３および延在する第２の載置部分５０５に沿ってその重量を分散させることによって、電子デバイススタンド５００に載置される。好ましくは、図５に示すように、ラップトップコンピュータ５４４の底縁部は、第１の停止部分５１２および第２の停止部分５１４に載置するかまたは当接することによって安定化される。
【００６５】
電子デバイススタンド５００の構成は、特定の利点を含む。ラップトップコンピュータ５４４の重量がアーム５０２、５０４に分散されるので、アーム５０２とアーム５０４との間の開放領域は、表面から持ち上げられることにより、スタンドの後端部を通る循環空気にさらされる（図５の破線の矢印で示す）。この循環空気は、通常、ラップトップコンピュータの底部領域に収容されているプロセッサおよび関連する構成要素に「冷却」効果をもたらす。この循環空気は、ラップトップコンピュータ５４４が過熱するのを防ぎ、コンピュータの寿命を延ばし、バッテリ時間を延ばし、ユーザが過熱したラップトップをひざの上で使用する状況における不快感を回避する。
【００６６】
別の観点では、本教示は、本教示および本構成の電子デバイススタンドを組み立てる方法を開示する。この目的のために、図６は、本教示の好ましい一実施形態による、電子デバイススタンドを組み立てるためのプロセス６００における特定の顕著なステップを示すフローチャートである。プロセス６００は、基部（例えば、図１Ａの基部１１０）と、第１のアーム（例えば、図１Ａの第１のアーム１０２）と、第２のアーム（例えば、図１Ａの第２のアーム１０４）と、第１の締結アセンブリ（例えば、図３Ｂの締結アセンブリ３５０）と、第２の締結アセンブリ（例えば、図３Ｂの締結アセンブリ３５０）と、を取得するステップを含むステップ６０２で開始することができる。
【００６７】
次に、ステップ６０４は、第１の締結アセンブリを使用して、第１のアームを基部の一端に（例えば、図１Ｂの垂直支持部１０７’に）係合させるステップを含む。このステップでは、第１のアームが基部の一端に（例えば、第１の垂直支持部に）係合して、アーム上の第１のねじ係合端部が垂直支持部の第１のアーム受け入れ部分の第１の溝と係合する必要がある。
【００６８】
次に、ステップ６０６は、第２の締結アセンブリを使用して、第２のアームを基部の他端に（例えば、図１Ｂの垂直支持部１０９’に）連結するステップを含む。ステップ６０２における連結およびステップ６０６における係合は、実質的に同じであると考えることができる。このステップでは、第２のアームが基部の端部の一端に（例えば、第２の垂直支持部に）連結されて、アーム上の第２のねじ係合端部が垂直支持部の第２のアーム受け入れ部分の第２の溝と係合する必要がある。本教示の特定の実施形態では、ステップ６０６は、ステップ６０４が実行される前に実行されてもよい。
【００６９】
別の観点では、本教示は、電子デバイススタンドを使用する方法を開示する。この方法は、基部（例えば、図１Ｂの基部１１０’）、第１のアーム（例えば、図１Ｂの第１のアーム１０２’）、第２のアーム（例えば、図１Ｂの第２のアーム１０４’）、第１の締結アセンブリ（例えば、図３Ｂの締結アセンブリ３５０）、および第２の締結アセンブリ（例えば、図３Ｂの締結アセンブリ３５０）を有する開放構成の電子デバイススタンド（例えば、図１Ｂの電子デバイススタンド１００’）を取得するステップを含む。
【００７０】
次に、電子デバイススタンドを使用する方法は、第１の受け入れ部分が第２の停止部分を受け入れ、第２の受け入れ部分が第１の停止部分を受け入れるように、電子デバイススタンドを折り畳むステップを含む。この構成では、第１のアームは第２のアームに当接し、第２のアームに対して逆平行に延在する。
【００７１】
本教示の特定の実施形態では、電子デバイススタンドを使用する方法は、電子デバイススタンドを折り畳まれた状態から開いた状態に変換するステップを含む。この目的のために、この方法は、第１のアームおよび第２のアームが基部に対して約９０°に延在するように電子デバイススタンドを開き、第１のアームと第２のアームとの間にオープンスペースが画定されることを必要とする。電子デバイススタンドがこの開放構成となり、電子デバイススタンドによって支持される電子デバイスの底面と基部の垂直支持部との間に空間が画定されると、これらの画定された空間を通る循環空気は、使用される電子デバイスを冷却するのに役立つ。
【００７２】
本構成および本教示の例示的な実施形態が図示され説明されてきたが、他の修正、変更、および置換が意図される。したがって、添付の特許請求の範囲は、添付の特許請求の範囲に記載されているように、広く、かつ本開示の範囲と一致するように解釈されることが適切である。
【図１Ａ】
2021516999.tif 000003
【図１Ｂ】
2021516999.tif 000004
【図２Ａ】
2021516999.tif 000005
【図２Ｂ】
2021516999.tif 000006
【図３Ａ】
2021516999.tif 000007
【図３Ｂ】
2021516999.tif 000008
【図４Ａ】
2021516999.tif 000009
【図４Ｂ】
2021516999.tif 000010
【図５】
2021516999.tif 000011
【図６】
2021516999.tif 000012
【国際調査報告】
2021516999.tif 000013
2021516999.tif 000014